(57)【要約】【課題】複数のＵＩ装置の両方に同じ目的を達成できるＵＩ画面が重複して存在する時に、より適切なＵＩ画面を選択することが容易ではない。【解決手段】類似のＵＩ画面を持つ第１のＵＩ装置と第２のＵＩ装置とから構成されるＵＩ切換システムにおけるＵＩ切換方法であって、第１のＵＩ装置は、画面遷移させる操作を入力するステップと、第１のＵＩ装置は、画面遷移させる操作及びＵＩ切換制御情報に応じて、画面遷移がＵＩ切換を伴うか否かを判定するステップと、第１のＵＩ装置は、画面遷移がＵＩ切換を伴うものであると判定した場合に、現在画面のコンテキストを出力するステップと、第２のＵＩ装置は、出力された現在画面のコンテキストを引き継いだ類似するＵＩ画面を出力するステップと、類似するＵＩ画面を表示するステップと、を具備する。【選択図】図２
2010258958.tif 000002
【特許請求の範囲】
【請求項１】
類似のＵＩ画面を持つ第１のＵＩ装置と第２のＵＩ装置とから構成されるＵＩ切換システムにおけるＵＩ切換方法であって、
前記第１のＵＩ装置は、画面遷移させる操作を入力するステップと、
前記第１のＵＩ装置は、前記画面遷移させる操作及びＵＩ切換制御情報に応じて、前記画面遷移がＵＩ切換を伴うか否かを判定するステップと、
前記第１のＵＩ装置は、前記画面遷移がＵＩ切換を伴うものであると判定した場合に、現在画面のコンテキストを出力するステップと、
前記第２のＵＩ装置は、出力された前記現在画面のコンテキストを引き継いだ類似するＵＩ画面を出力するステップと、
前記類似するＵＩ画面を表示するステップと、
を具備することを特徴とするＵＩ切換方法。
【請求項２】
前記第１のＵＩ装置が番組受信装置であり、前記第２のＵＩ装置が番組記憶再生装置であり、前記ＵＩ画面が少なくとも電子番組表画面と予約一覧画面とを含むことを特徴とする請求項１記載のＵＩ切換方法。
【請求項３】
前記第１のＵＩ装置が番組受信装置であり、前記第２のＵＩ装置が番組記憶再生装置であり、前記ＵＩ画面が少なくとも電子番組表画面と予約登録操作画面とを含み、前記コンテキストが現在注目している番組を特定する情報であることを特徴とする請求項１記載のＵＩ切換方法。
【請求項４】
前記第１のＵＩ装置が番組受信装置であり、前記第２のＵＩ装置が番組記憶再生装置であり、前記ＵＩ画面が少なくとも録画番組一覧画面と番組再生画面とを含み、前記コンテキストが現在注目している録画番組を特定する情報であることを特徴とする請求項１記載のＵＩ切換方法。
【請求項５】
類似のＵＩ画面を持つ第１のＵＩ装置と第２のＵＩ装置とから構成されるＵＩ切換システムにおいて、
前記第１のＵＩ装置は、
ユーザからの入力を受け付ける入力手段と、
前記入力手段が受け付けた前記ユーザからの入力及びＵＩ切換制御情報に応じて、ＵＩ画面を制御して出力する第１のＵＩ制御手段と、
前記ＵＩ画面を表示する表示手段と、を具備し、
前記第２のＵＩ装置は、
前記第１のＵＩ制御手段が制御する前記ＵＩ画面と類似するＵＩ画面を制御して出力する第２のＵＩ制御手段を具備し、
前記第１のＵＩ制御手段は、前記ユーザからの入力としてＵＩ切換を検出した場合に、前記第２のＵＩ制御手段に、現在画面のコンテキストを引き継いだ類似するＵＩ画面を出力させる、ことを特徴とするＵＩ切換システム。
【請求項６】
前記第１のＵＩ装置が番組受信装置であり、前記第２のＵＩ装置が番組記憶再生装置であり、前記ＵＩ画面が少なくとも電子番組表画面と予約一覧画面とを含むことを特徴とする請求項５記載のＵＩ切換システム。
【請求項７】
前記第１のＵＩ装置が番組受信装置であり、前記第２のＵＩ装置が番組記憶再生装置であり、前記ＵＩ画面が少なくとも電子番組表画面と予約登録操作画面とを含み、前記コンテキストが現在注目している番組を特定する情報であることを特徴とする請求項５記載のＵＩ切換システム。
【請求項８】
前記第１のＵＩ装置が番組受信装置であり、前記第２のＵＩ装置が番組記憶再生装置であり、前記ＵＩ画面が少なくとも録画番組一覧画面と番組再生画面とを含み、前記コンテキストが現在注目している録画番組を特定する情報であることを特徴とする請求項５記載のＵＩ切換システム。
【発明の詳細な説明】
【技術分野】
【０００１】
本発明は、ＵＩ（Ｕｓｅｒ  Ｉｎｔｅｒｆａｃｅ）切換方法及びＵＩ切換システムに関し、更に詳しくは、ＤＬＮＡ（Ｄｉｇｉｔａｌ  Ｌｉｖｉｎｇ  Ｎｅｔｗｏｒｋ  Ａｌｌｉａｎｃｅ）や、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）などで相互に接続されたデジタルテレビとレコーダ等の複数の受信装置において、電子番組表（ＥＰＧ；  Ｅｌｅｃｔｒｉｃ  Ｐｒｏｇｒａｍ  Ｇｕｉｄｅ）等のＧＵＩ（Ｇｒａｐｈｉｃ  Ｕｓｅｒ  Ｉｎｔｅｒｆａｃｅ）の操作に関する。
【背景技術】
【０００２】
従来、アナログ放送とデジタル放送の両方を受信できる受信装置において、番組表データが存在しないアナログ放送番組に対しても、デジタル放送番組の番組表データで代替することで同様のＧＵＩを構成する受信装置がある（例えば、特許文献１参照）。
【０００３】
また、ＤＬＮＡの機能を持った装置を相互に接続することで、一方の装置から他方の装置に録画予約を登録したり、録画済の番組の一覧を表示したり再生制御を行ったりすることが可能である。
【０００４】
あるいは、ＨＤＭＩケーブルで接続された２台のＡＶ装置を、ＣＥＣのコマンドを送ることで、予約登録や、再生制御などを行うことが可能である。詳細には、他の装置のＧＵＩ画面が含まれている映像信号を表示する様に切り換えると共に、リモコンなどの操作を他の装置にＣＥＣを用いてパススルーすることで、複数の装置のＧＵＩ操作を１個のリモコンで行うことが出来る。
【先行技術文献】
【特許文献】
【０００５】
【特許文献１】特開２００３−１９８９６１号公報
【発明の概要】
【発明が解決しようとする課題】
【０００６】
従来の技術では、ＤＬＮＡやＨＤＭＩ−ＣＥＣなどを用いることで、ユーザが直接操作を行っている装置以外の装置のＧＵＩ画面を表示したり、１個のリモコンで複数の装置のＧＵＩを操作可能になる。しかしながら、以下の課題がある。
【０００７】
１．ユーザはどちらの装置のＧＵＩを使用しているか、意識する必要がある。類似したＧＵＩ画面であっても、装置によって動作仕様が微妙に異なる場合がある。ユーザは操作に慣れてくると、画面に表示された操作ガイダンスを見ずに、いつも行っている順番にリモコンボタンを押すなどの行動をする。装置が異なった場合、予期せぬ画面遷移を引き起こすことで、見たことの無い画面に遷移したり、ユーザが実行したつもりのない設定変更を行ったりしてしまう。あるいは、予約登録した番組（エントリ）が装置毎に別々のリストとして管理される状況では、一方の装置でユーザが確かに予約登録した番組が、他方の予約登録一覧画面を意図せず表示することで見つけることができない事態となる。
【０００８】
２．ユーザは、複数の装置に存在する類似したＧＵＩ画面で、最適な方のＧＵＩ画面必ずしも使用できない。そもそも、複数の操作方法が提供されていることにすら気付かない場合がある。例えば、電子番組表画面は、デジタルテレビとレコーダの両方に存在する。そして、同じメーカの装置同士であっても機能差がある。ましてや異なるメーカの装置であれば、なおさらである。このとき、どちらの番組表を使えば良いかは、ユーザの使い方により変わる。例えば、より高機能な番組表機能を利用したいユーザと、過去に使用していた装置となるべく類似した番組表機能を利用したいユーザとでは結論が異なる。
【課題を解決するための手段】
【０００９】
上記課題を解決するために、本発明におけるＵＩ切換システムにおいては、類似のＵＩ画面を持つ第１のＵＩ装置と第２のＵＩ装置とから構成され、第１のＵＩ装置が画面遷移させる操作を入力するステップと、画面遷移が一方のＵＩ装置から他方のＵＩ装置へのＵＩ切換を伴うか判定するステップと、ＵＩ切換が発生すると判定された場合にＵＩ切換を行うステップとを具備する。
【発明の効果】
【００１０】
本発明におけるＵＩ切換システムでは、ユーザはどちらの装置のＧＵＩを使用しているか意識する必要がない。また、ユーザが誤って別の装置の方のＧＵＩを使ってしまうことがない。更に、複数存在する類似のＧＵＩ画面の中から、ユーザはより適切なＧＵＩを選択して使用できる。
【図面の簡単な説明】
【００１１】
【図１】本発明の実施の形態１にかかるＵＩ切換システムの構成を示す図
【図２】同実施の形態にかかるＵＩ切換処理を示すフローチャート
【図３】同実施の形態にかかるＵＩ切換制御情報の例を示す図
【発明を実施するための形態】
【００１２】
以下、本発明を実施するための形態を、図面を参照しながら説明する。
【００１３】
（実施の形態１）
図１は、本発明の実施の形態１にかかるＵＩ切換システムの構成図である。ＵＩ切換システムは、第１のＵＩ装置１１０と第２のＵＩ装置１２０とから構成されている。そして、第１のＵＩ装置１１０と第２のＵＩ装置１２０とは、双方向にデータを交換することができる。ここで、交換されるデータは、第２のＵＩ装置の出力するＧＵＩ画面や、第１のＵＩ装置に対してユーザが入力したリモコン操作などの系列などである。
【００１４】
次に第１のＵＩ装置１１０について説明する。第１のＵＩ装置１１０は、受信アンテナ１１１と、受信手段１１２と、再生手段１１３と、表示手段１１４と、入力手段１１５と、  ＵＩ制御手段１１６と、予約ＤＢ１１７と、通信手段１１８と、から構成されている。
【００１５】
受信アンテナ１１１は、放送電波を受信するアンテナである。番組の配信が通信ネットワークである場合には、受信アンテナ１１１はブロードバンドモデムなどのネットワーク機器であっても良い。
【００１６】
受信手段１１２は、受信アンテナ１１１で受信した放送電波から、所定の放送局のデジタルデータを取り出す。受信手段１１２はデジタル放送のチューナモジュールで良い。
【００１７】
再生手段１１３は、受信手段１１２が出力した所定の放送局のデジタルデータを入力し、映像・音声信号にデコードして出力する。再生手段１１３は、ＭＰＥＧ（Ｍｏｔｉｏｎ  Ｐｉｃｔｕｒｅ  Ｅｘｐｅｒｔｓ  Ｇｒｏｕｐ）のＶｉｄｅｏ／Ａｕｄｉｏのデコーダで良い。
【００１８】
表示手段１１４は、再生手段１１３の出力する映像・音声信号を入力し、ユーザが知覚できる物理的現象に変換する。表示手段１１４は、液晶ディスプレイ・パネルやスピーカなどで良い。
【００１９】
入力手段１１５は、第１のＵＩ装置１１０に対するユーザ操作を入力する。入力手段１１５は、リモコンとその受光部、マウスなどのポインティングデバイス、マイクロフォンと音声認識装置、動画カメラとユーザのジェスチャー認識装置などで良い。
【００２０】
ＵＩ制御手段１１６は、第１のＵＩ装置１１０の各構成要素と相互に接続され、第１のＵＩ装置１１０全体を制御する。ＵＩ制御手段１１６は、ＣＰＵ（Ｃｅｎｔｒａｌ  Ｐｒｏｃｅｓｓｉｎｇ  Ｕｎｉｔ）、半導体メモリ、ＯＳＤ（Ｏｎ  Ｓｃｒｅｅｎ  Ｄｉｓｐｌａｙ）のグラフィック描画ＬＳＩなどから構成される、組込型マイクロコンピュータで良い。
【００２１】
予約ＤＢ１１７は、現在時刻が予め設定していた日時になった時に、番組の視聴や録画の予約を実行させるための管理情報を格納するデータベースである。データベースに格納される各エントリには、予約する番組を特定する為の情報と、予約実行するためのパラメータが含まれる。例えば、予約する番組を特定する情報としては、放送チャンネル、放送開始日時、放送終了日時、番組ＩＤ（日本のデジタル放送規格であるＡＲＩＢ規格では、ｅｖｅｎｔ＿ｉｄと呼ばれる１６ビットの情報）等でよい。また、予約実行のパラメータとしては、予約が視聴のための予約か録画の為の予約のいずれかのフラグ、録画する際のデータ圧縮フォーマット指定などでよい。
【００２２】
通信手段１１８は、第１のＵＩ装置１１０と第２のＵＩ装置１２０とのデータ通信を行う。通信手段１１８はＥｔｈｅｒｎｅｔ（登録商標）のＮＩＣ（Ｎｅｔｗｏｒｋ  Ｉｎｔｅｒｆａｃｅ  Ｃａｒｄ）や、ＨＤＭＩのトランシーバーＬＳＩ（Ｌａｒｇｅ  Ｓｃａｌｅ  Ｉｎｔｅｇｒａｔｉｏｎ）や、電力線通信のモデル、無線ＬＡＮ（Ｌｏｃａｌ  Ａｒｅａ  Ｎｅｔｗｏｒｋ）の送受信機などで良い。
【００２３】
１２０は、第２のＵＩ装置である。第２のＵＩ装置１２０は、受信アンテナ１２１と、受信手段１２２と、再生手段１２３と、入力手段１２５と、ＵＩ制御手段１２６と、予約ＤＢ１２７と、通信手段１２８と、録画手段１２９と、から構成されている。第１のＵＩ装置１１０の構成要素と共通の名称を持つ構成要素は、機能が同じであるため説明の全てまたは一部を省略する。
【００２４】
録画手段１２９は、第２のＵＩ装置１２０の受信手段１２２が出力する映像・音声信号を録画し再生する。録画手段１２９は、ＨＤＤ（Ｈａｒｄ  Ｄｉｓｋ  Ｄｒｉｖｅ）や、ＳＤ（Ｓｅｃｕｒｅ  Ｄｉｇｉｔａｌ）カードなどの半導体メモリとリーダ・ライターや、Ｂｌｕ−ｒａｙなどの光ディスクとドライブなどで良い。
【００２５】
次にＵＩ切換システムの動作を、フローチャートを用いて詳細に説明する。図２は、本発明のＵＩ切換処理を示すフローチャートである。
【００２６】
（ステップＳ２０１）ユーザが、第１のＵＩ装置１１０に対して操作を行う。第１の入力手段１１５は操作データを出力する。
【００２７】
（ステップＳ２０２）ステップＳ２０１の操作データが、ＵＩ切換を伴う画面遷移を示す場合にはステップＳ２０７へ、それ以外の場合にはステップＳ２０３へすすむ。例えば、現在の画面が第１のＵＩ装置１１０が表示する電子番組表であり、操作が画面上に表示された予約登録ボタンへの押下操作である場合には、電子番組表画面から予約登録画面へ画面遷移する。
【００２８】
例えば、予約登録画面として第２のＵＩ装置１２０の予約登録画面が選択される場合には、第１のＵＩ制御手段１１６が出力するＯＳＤ出力から、第２のＵＩ制御手段１２６が出力するＯＳＤ出力へ表示手段１１４に出力する映像が切り換えられる。本特許では、この切り換えのことをＵＩ切換と呼ぶことにする。
【００２９】
ここで、類似するＧＵＩ画面（ＧＵＩ画面クラス）毎に、どちらのＵＩ装置のものが表示されるべきかを決定しているデータについて、図を用いて説明する。
【００３０】
図３は、本発明のＵＩ切換制御情報の例である。各行は、１個のＧＵＩ画面クラスに対応する。例えば、行３１０は番組表画面のＧＵＩ画面クラスに関し、行３２０は予約登録画面のＧＵＩ画面クラスに関する。列３０２は、どちらのＵＩ装置のＧＵＩを用いるかを記載している。例えば、行３２０のフィールド３２２には「他機」が格納されているので、第１のＵＩ装置１１０の他機、すなわち第２のＵＩ装置１２０が、予約登録画面として表示されることが指定されている。図では簡単のため、「自機」「他機」の２値としたが、複数のＵＩ装置を特定するためのＩＤ情報を直接格納しても良い。即ち、ＩＰ（Ｉｎｔｅｒｎｅｔ  Ｐｒｏｔｏｃｏｌ）アドレスや、Ｅｔｈｒｅｎｅｔ（登録商標）  Ａｄｄｒｅｓｓ、マシン名、機器の種類（デジタルテレビ、レコーダ、ＰＣ等）、ＨＤＭＩの物理アドレスなどでも良い。
【００３１】
（ステップＳ２０３）他機すなわち第２のＵＩ装置１２０のＵＩ画面を、現在、表示手段１１４に表示中であればステップＳ２０５へ、それ以外の場合にはステップＳ２０４へ進む。
【００３２】
（ステップＳ２０４）自機への操作を行う。そして、ステップＳ２０１へ戻る。
【００３３】
（ステップＳ２０５）自機から他機への操作を変換する。例えば、ＵＩ装置毎にメーカが異なるなどしてリモコン信号のコード割り当てが違う場合や、複数のリモコン信号の系列によって１個の論理的操作を表す場合などに、この変換が用いられる。なお、動作仕様によっては、他機の状態に応じて、異なる操作が必要となる場合が考えられる。この場合、通信手段１１８などを用いて他機の状態をモニタリングした上で、操作を変換しても良い。
【００３４】
（ステップＳ２０６）他機への操作を送信する。そして、ステップＳ２０１へ戻る。即ち、第１の通信手段１１８から第２の通信手段１２８に対して、ステップＳ２０５で変換された操作を送信する。
【００３５】
（ステップＳ２０７）現在ＵＩ画面からコンテキストを引き継ぐ。例えば、自機の番組表画面から、他機の予約登録画面に遷移する際には、自機の番組表のフォーカス表示が位置している番組に対する予約登録画面が表示されることが期待される。自機の番組表のフォーカス位置の状態（コンテキスト）として、番組を特定するための情報が用いられる。
【００３６】
図３のＵＩ切換制御情報において、列３０３が各行にあたる画面クラスを起動する際の初期パラメータとして求められる情報（コンテキスト）を格納している。例えば、予約登録画面に関する行３２０で、３２３にあるように、局、日時、番組ｉｄが、他機の予約登録画面を起動する際に必要とされるパラメータであるため、第１のＵＩ装置１１０から、通信手段１１８、１２８を経由して、第２のＵＩ装置１２０のＵＩ制御手段１２６に伝えられる。第２のＵＩ制御手段１２６は、この情報を用いて、遷移元の画面である番組表と同じ番組に対する予約登録画面を表示することが可能となる。
【００３７】
（ステップＳ２０８）自機または他機のＵＩ画面にＵＩ切換を行う。そして、ステップＳ２０１へ戻る。
【産業上の利用可能性】
【００３８】
本発明は、ＧＵＩを持つ複数のＡＶ機器や情報機器などが相互に接続された状況で、一方の装置から他方の装置を操作する機能に対して利用可能である。
【符号の説明】
【００３９】
１１０    第１のＵＩ装置
１２０    第２のＵＩ装置
１１１、１２１    受信アンテナ
１１２、１２２    受信手段
１１３、１２３    再生手段
１１４    表示手段
１１５、１２５    入力手段
１１６、１２６    ＵＩ制御手段
１１７、１２７    予約ＤＢ
１１８、１２８    通信手段
１２９    録画手段
【図１】
2010258958.tif 000003
【図２】
2010258958.tif 000004
【図３】
2010258958.tif 000005